(57)【要約】      （修正有）【課題】引き戸のスムーズな移動を妨げることのないロック装置を提供する。【解決手段】引き戸の上部に取り付けられるケーシングと、ケーシング内からバネにより上方に付勢突出される係止スライド片と、係止スライド片をスライド移動可能に係止する端レール体７とから構成する。また、係止スライド片の上部にその上面がスライド移動方向に沿って円面となって上方に突出する第１突出部２１を設け、端レール体７内にその下面がスライド移動方向に沿って円面となって下方に突出する第２突出部４４を備えるバネ片４０を設ける。これにより、係止スライド片の端レール体７の奥方内へのスライド移動に伴って、第２突出部４４が第１突出部２１に弾力的に押し上げられ、かつ、第１突出部２１の通過位置において弾力的に復帰して第１突出部２１にロック状態となる。【選択図】図４
0003162917.tif 000002
【実用新案登録請求の範囲】
【請求項１】
引き戸の上部に取り付けられるケーシングと、前記ケーシング内からバネにより上方に付勢突出される係止スライド片と、前記係止スライド片をスライド移動可能に係止する端レール体とからなり、
前記係止スライド片の上部にその上面が前記スライド移動方向に沿って円面となって上方に突出する第１突出部が設けられ、前記端レール体内にその下面が前記スライド移動方向に沿って円面となって下方に突出する第２突出部を備えるバネ片が設けられ、前記係止スライド片の前記端レール体の奥方内へのスライド移動に伴って、前記第２突出部が前記第１突出部に弾力的に押し上げられ、かつ、前記第１突出部の通過位置において弾力的に復帰して前記第１突出部にロック状態となることを特徴とする引き戸のロック装置。
【考案の詳細な説明】
【技術分野】
【０００１】  この考案は、引き戸を開き位置においてロックするロック装置に関する。
【背景技術】
【０００２】  家具等において引き戸を強い力で一杯まで開くと、引き戸端が戸当たりに衝突して反動で少し戻ってくる。この反動戻りを防止するためのロック装置が提供されている。
【考案の概念】
【考案が解決しようとする課題】
【０００３】  しかしながら現状におけるロック装置は引き戸のスムーズな開閉移動を妨げている。この考案は引き戸のスムーズな移動を妨げることのないロック装置を提供する。
【課題を解決するための手段】
【０００４】  この考案では、引き戸の上部に取り付けられるケーシングと、前記ケーシング内からバネにより上方に付勢突出される係止スライド片と、前記係止スライド片をスライド移動可能に係止する端レール体とからなり、前記係止スライド片の上部にその上面が前記スライド移動方向に沿って円面となって上方に突出する第１突出部が設けられ、前記端レール体内にその下面が前記スライド移動方向に沿って円面となって下方に突出する第２突出部を備えるバネ片が設けられ、前記係止スライド片の前記端レール体の奥方内へのスライド移動に伴って、前記第２突出部が前記第１突出部に弾力的に押し上げられ、かつ、前記第１突出部の通過位置において弾力的に復帰して前記第１突出部にロック状態となることを特徴とする引き戸のロック装置を提供する。
【０００５】  上記構成によれば、引き戸が開かれることで端レール体内のバネ片の第２突出部が係止スライド部の第１突出部に弾力的に押し上げられ、さらに、引き戸が開かれることで第２突出部は第１突出部の通過位置において弾力的に復帰して第１突出部にロック状態に係止し、これにより引き戸を一杯に開いた際の反動戻りが防止される。
【０００６】  上記の係止スライド部の第１突出部によるバネ片の第２突出部の押し上げと、バネ片の第２突出部の係止スライド部の第１突出部上の接触通過との一連の動作は、それぞれの突出部が相対する面においてスライド移動方向に沿って円面となっているのでスムーズになされ、また、その初期においてバネ片の第２突出部が係止スライド部の他の部分に衝突しないことでも動作がスムーズになされ、かつ、バネ片の損傷も防止される。
【考案の効果】
【０００７】  この考案によれば、引き戸のスムーズな移動を妨げることがなく、かつ、安定した構造を持つ引き戸のロック装置が得られる。
【図面の簡単な説明】
【０００８】
【図１】  この考案の引き戸のロック装置の正面図
【図２】  この考案の引き戸のロック装置において用いるバネ片の斜視図
【図３】  この考案の引き戸のロック装置の分解斜視図
【図４】  この考案の引き戸のロック装置の作動説明図
【図５】  この考案の引き戸のロック装置の作動説明図
【図６】  この考案の引き戸のロック装置の作動説明図
【図７】  この考案の引き戸のロック装置の要部断面図
【考案を実施するための形態】
【０００９】  図１はこの考案の引き戸のロック装置の正面図、図３は同分解斜視図である。引き戸のロック装置１は、引き戸端部の上部内面に嵌め込み状態に取り付けられるケーシング３と、ケーシング３内から上方に付勢突出される係止スライド片５と、係止スライド片５をスライド移動可能に係止する端レール体７とからなる。
【００１０】  ケーシング３は係止スライド片５が上方から嵌め込み装着される嵌め込みスペース９を備え、その前面には縦方向に開口１１が設けられている。１３のそれぞれは取り付け縁であり、引き戸内面への取り付け穴１５のそれぞれが設けられている。
【００１１】  係止スライド片５は上部に係止スライド部１７が設けられ、下部をケーシング３の嵌め込みスペース９への嵌め込み部１９としている。係止スライド部１７の上部にはその上面がスライド移動方向に沿って円面となって上方に突出する第１突出部２１が設けられている。嵌め込み部１９の前面には操作ボタン２３の装着穴２５が設けられるとともにその下部に操作片２７の取り付け穴２９が設けられ、両側位置には抜け止め用係止部３１のそれぞれが弾力的に開き状態に設けられている。
【００１２】  係止スライド片５は、ケーシング３の嵌め込みスペース９内の所定位置にコイルバネ３３のそれぞれが配置された状態において、装着穴２５内にコイルバネ３５を配置しその前面に操作ボタン２３を取り付けた状態において上方から嵌め込みスペース９内に嵌め込まれて装着される。その装着時にはコイルバネ３５により操作ボタン２３は前方に押し出される状態となり、その両側部分が開口１１の両縁内面で押さえられ、かつ、両縁内面に設けられた凹み部３７に合致することで係止スライド片５は嵌め込みスペース９内の所定高さに位置決め保持される。この状態においては係止スライド片５の係止スライド部１７はケーシング３から突出して位置しない。操作片２７はケーシング３への係止スライド片５の嵌め込み装着後に取り付け穴２９に嵌め込まれて取り付けられる。
【００１３】  操作ボタン２５を押し込むことで両側部分が開口１１の両縁内面に設けられた凹み部３７から離脱すると、係止スライド片５はコイルバネ３３それぞれにより上方に押し上げられるが、抜け止め用係止部３１それぞれの上端がケーシング３内に設けられた水平の係止面に係止することで係止スライド片５が抜け出ることはなく、その状態において係止スライド部１７がケーシング５の上部から突出して位置する。
【００１４】  端レール体７は家具等に取り付けられる本体レールの端部に接続するように家具等に取り付けられて用いられ、内部に図２に示すバネ片４０を備えている。バネ片４０はその基部４２が端レール体７内の奥部に嵌合固定されて取り付けられ、その先端近傍には下面がスライド移動方向に沿って円面となって下方に突出する第２突出部４４を備えている。
【００１５】  図４、図５、図６のそれぞれにより引き戸のロック装置１の作動を説明する。図１に示す係止スライド部１７がケーシング５の上部から突出して位置する状態において、係止スライド部１７が本体レール及び端レール体７に係止されるとともにスライド移動され、図４は引き戸が開かれてそれに一体の係止スライド片５が端レール体７内に少し入った状態を示す。さらに引き戸が矢印Ａ方向に開かれることで、図５に示すように、バネ片４０の第２突出部４４が係止スライド部１７の第１突出部２１に弾力的に押し上げられ、さらに、引き戸が矢印Ａ方向に開かれることで第２突出部４４は第１突出部２１の通過位置において弾力的に下方に復帰して第１突出部２１にロック状態に係止する。これにより引き戸を一杯に開いた際の反動戻りが防止される。
【００１６】  上記の係止スライド部１７の第１突出部２１によるバネ片４０の第２突出部４４の押し上げと、バネ片４０の第２突出部４４の係止スライド部１７の第１突出部２１上の接触通過との一連の動作は、それぞれの突出部が相対する面においてスライド移動方向に沿って円面となっているのでスムーズになされる。また、その初期においてバネ片４０の第２突出部４４が係止スライド部１７の端角部２２に衝突しないことでも動作がスムーズになされ、かつ、バネ片４０の損傷も防止される。
【００１７】  図７は図５位置における断面構成を示し、端レール体７内のガイド溝８内に係止スライド部１７の係止縁１８が位置している。端レール体７の上面には開口１０が設けられ、この開口１０があることでバネ片４０の押し上げられた際の上方への変位が支障なく行われるようになっている。
【００１８】  引き戸に閉じ方向（矢印Ａと逆の方向）の力がかけられることで、図６、図５、図４における連続する動作が行われて、引き戸のロック状態が解除される。
【符号の説明】
【００１９】１  引き戸のロック装置
３  ケーシング
５  係止スライド片
７  端レール体
２１  第１突出部
４０  バネ片
４４  第２突出部
【図１】
0003162917.tif 000003
【図２】
0003162917.tif 000004
【図３】
0003162917.tif 000005
【図４】
0003162917.tif 000006
【図５】
0003162917.tif 000007
【図６】
0003162917.tif 000008
【図７】
0003162917.tif 000009